(57)【要約】【課題】従来よりも防水・防塵性が高く、剛性が大きく、薄くて軽い電子機器用バックカバーと、そのような電子機器用バックカバーを用いた電子機器用筐体を提供することを目的とする。【解決手段】電子機器用バックカバーは、２つ折り可能な電子機器に用いるバックカバーであって、１枚の繊維強化樹脂シートのうち繊維強化樹脂シートを２分割する位置に形成され柔軟性樹脂を母材とする屈曲部と、屈曲部以外の領域に形成され熱硬化性樹脂または熱可塑性樹脂を母材とする２つの剛性部とを備えたように構成した。電子機器用筐体は、電子機器用バックカバーと、電子機器用バックカバーの２つの剛性部にそれぞれ対向して配置される２つのフロントカバーとを備え、２つのフロントカバーは熱硬化性樹脂または熱可塑性樹脂を母材とする繊維強化樹脂シートからなり、２つのフロントカバーの少なくとも一方は枠状であるように構成した。【選択図】図１
2019144972.tif 000002
【特許請求の範囲】
【請求項１】
２つ折り可能な電子機器に用いるバックカバーであって、
１枚の繊維強化樹脂シートのうち前記繊維強化樹脂シートを２分割する位置に形成され柔軟性樹脂を母材とする屈曲部と、
前記屈曲部以外の領域に形成され熱硬化性樹脂または熱可塑性樹脂を母材とする２つの剛性部とを備えた、電子機器用バックカバー。
【請求項２】
前記屈曲部と２つの前記剛性部との境界では前記境界以外の箇所よりも厚みが小さくなっている、請求項１に記載の電子機器用バックカバー。
【請求項３】
前記屈曲部は蛇腹形状である、請求項１または２に記載の電子機器用バックカバー。
【請求項４】
請求項１〜３のいずれかに記載の電子機器用バックカバーと、前記電子機器用バックカバーの２つの前記剛性部にそれぞれ対向して配置される２つのフロントカバーとを備え、
２つの前記フロントカバーは熱硬化性樹脂または熱可塑性樹脂を母材とする繊維強化樹脂シートからなり、２つの前記フロントカバーの少なくとも一方は枠状である、電子機器用筐体。
【請求項５】
請求項１〜３のいずれかに記載の電子機器用バックカバーの前記屈曲部が柔軟性と伸縮性を有する樹脂を母材とする電子機器用バックカバーと、前記電子機器用バックカバーに対向して配置され１枚の繊維強化樹脂シートからなるフロントカバーとを備え、
前記フロントカバーは、
前記フロントカバーを２分割するように前記電子機器用バックカバーと同じ位置に形成され柔軟性と伸縮性を有する樹脂を母材とする屈曲部と、
前記屈曲部以外の領域に形成され熱硬化性樹脂または熱可塑性樹脂を母材とする２つの剛性部と、
前記フロントカバーの前記剛性部の少なくとも一方に形成された開口部とを有する、電子機器用筐体。
【請求項６】
前記フロントカバーの前記屈曲部と前記電子機器用バックカバーの前記屈曲部との間にヒンジ機構をさらに備えた、請求項５に記載の電子機器用筐体。
【請求項７】
請求項１〜３のいずれかに記載の電子機器用バックカバーと、前記電子機器用バックカバーに対向して配置され１枚の枠状の繊維強化樹脂シートからなるフロントカバーとを備え、
前記フロントカバーは、
前記フロントカバーを２分割するように前記電子機器用バックカバーと同じ位置に形成され柔軟性樹脂を母材とする屈曲部と、
前記屈曲部以外の領域に形成され熱硬化性樹脂または熱可塑性樹脂を母材とする剛性部とを有する、電子機器用筐体。
【請求項８】
前記フロントカバーの前記屈曲部と前記剛性部との境界では前記境界以外の箇所よりも厚みが小さくなっている、請求項５〜７のいずれかに記載の電子機器用筐体。
【請求項９】
前記フロントカバーの前記屈曲部は蛇腹形状である、請求項５〜７のいずれかに記載の電子機器用筐体。
【発明の詳細な説明】
【技術分野】
【０００１】
本発明は、電子機器用バックカバーとそれを用いた電子機器用筐体に関する。
【背景技術】
【０００２】
ノートパソコンなどのように２つ折り可能な電子機器の筐体は、ディスプレイなどの表示部用筐体１０と、キーボードなどの操作部用筐体１３とがヒンジ機構１７によって結合されて、１つの電子機器用筐体９として構成されている（たとえば、特許文献１参照）。表示部用筐体１０はフロントカバー１１とバックカバー１２とからなり、操作部用筐体１３はアッパーカバー１４とロワーカバー１５とからなる（図１４参照）。それぞれのカバーは、繊維強化樹脂からなる。このような電子機器用筐体９では、ヒンジ機構１７によって、表示部用筐体１０を開閉することができる。また、表示部用筐体１０や操作部用筐体１３の内部にはマグネシウム合金などの金属板１６を有しており、これにより電子機器用筐体９に剛性を付与することができる。
【先行技術文献】
【特許文献】
【０００３】
【特許文献１】特開２０１７−０４１０６２号公報
【発明の概要】
【発明が解決しようとする課題】
【０００４】
しかし、従来の電子機器用筐体９は、フロントカバー１１とバックカバー１２とを組み合わせて表示部用筐体１０を構成し、アッパーカバー１４とロワーカバー１５を組み合わせて操作部用筐体１３を構成しており、さらに各筐体１０，１３をヒンジ機構１７によって結合していた。つまり、別々の部品を組み合わせて構成しているため、各部品との間に隙間ができてしまい、防水・防塵性に劣るという問題があった。また、筐体内部に金属板を有しているとはいえ、剛性は十分ではなかった。さらに、筐体内部に金属板を有しているために重く、厚みが大きいものとなっていた。
【０００５】
本発明は上記のような課題を解決するためになされたものであり、従来よりも防水・防塵性が高く、剛性が大きく、薄くて軽い電子機器用バックカバーと、そのような電子機器用バックカバーを用いた電子機器用筐体を提供することを目的とする。
【課題を解決するための手段】
【０００６】
以下に、課題を解決するための手段として複数の態様を説明する。これら態様は必要に応じて任意に組み合わせることができる。
【０００７】
本発明の電子機器用バックカバーは、２つ折り可能な電子機器に用いるバックカバーであって、１枚の繊維強化樹脂シートのうち繊維強化樹脂シートを２分割する位置に形成され柔軟性樹脂を母材とする屈曲部と、屈曲部以外の領域に形成され熱硬化性樹脂または熱可塑性樹脂を母材とする２つの剛性部とを備えたものである。
【０００８】
屈曲部と２つの剛性部との境界では境界以外の箇所よりも厚みが小さくなっていてもよい。
【０００９】
屈曲部は蛇腹形状であってもよい。
【００１０】
本発明の電子機器用筐体は、上記のいずれかの電子機器用バックカバーと、電子機器用バックカバーの２つの剛性部にそれぞれ対向して配置される２つのフロントカバーとを備え、２つのフロントカバーは熱硬化性樹脂または熱可塑性樹脂を母材とする繊維強化樹脂シートからなり、２つのフロントカバーの少なくとも一方は枠状である。
【００１１】
また、本発明の電子機器用筐体は、上記のいずれかの電子機器用バックカバーの屈曲部が柔軟性と伸縮性を有する樹脂を母材とする電子機器用バックカバーと、電子機器用バックカバーに対向して配置され１枚の繊維強化樹脂シートからなるフロントカバーとを備え、
フロントカバーは、
フロントカバーを２分割するように電子機器用バックカバーと同じ位置に形成され柔軟性と伸縮性を有する樹脂を母材とする屈曲部と、
屈曲部以外の領域に形成され熱硬化性樹脂または熱可塑性樹脂を母材とする２つの剛性部と、
フロントカバーの剛性部の少なくとも一方に形成された開口部とを有するものである。
【００１２】
フロントカバーの屈曲部と電子機器用バックカバーの屈曲部との間にヒンジ機構をさらに備えたものであってもよい。
【００１３】
また、本発明の電子機器用筐体は、上記のいずれかの電子機器用バックカバーと、電子機器用バックカバーに対向して配置され１枚の枠状の繊維強化樹脂シートからなるフロントカバーとを備え、
フロントカバーは、
フロントカバーを２分割するように電子機器用バックカバーと同じ位置に形成され柔軟性樹脂を母材とする屈曲部と、
屈曲部以外の領域に形成され熱硬化性樹脂または熱可塑性樹脂を母材とする剛性部とを有するものである。
【００１４】
フロントカバーの屈曲部と剛性部との境界では境界以外の箇所よりも厚みが小さくなっていてもよい。
【００１５】
フロントカバーの屈曲部は蛇腹形状であってもよい。
【発明の効果】
【００１６】
本発明の電子機器用バックカバーは、２つ折り可能な電子機器に用いるバックカバーであって、１枚の繊維強化樹脂シートのうち繊維強化樹脂シートを２分割する位置に形成され柔軟性樹脂を母材とする屈曲部と、屈曲部以外の領域に形成され熱硬化性樹脂または熱可塑性樹脂を母材とする２つの剛性部とを備えたように構成した。
【００１７】
本発明の電子機器用筐体は、電子機器用バックカバーと、電子機器用バックカバーの２つの剛性部にそれぞれ対向して配置される２つのフロントカバーとを備え、２つのフロントカバーは熱硬化性樹脂または熱可塑性樹脂を母材とする繊維強化樹脂シートからなり、２つのフロントカバーの少なくとも一方は枠状であるように構成した。
【００１８】
また、本発明の電子機器用筐体は、電子機器用バックカバーの屈曲部が柔軟性と伸縮性を有する樹脂を母材とする電子機器用バックカバーと、電子機器用バックカバーに対向して配置され１枚の繊維強化樹脂シートからなるフロントカバーとを備え、フロントカバーは、フロントカバーを２分割するように電子機器用バックカバーと同じ位置に形成され柔軟性と伸縮性を有する樹脂を母材とする屈曲部と、屈曲部以外の領域に形成され熱硬化性樹脂または熱可塑性樹脂を母材とする２つの剛性部と、フロントカバーの剛性部の少なくとも一方に形成された開口部とを有するように構成した。
【００１９】
また、本発明の電子機器用筐体は、電子機器用バックカバーと、電子機器用バックカバーに対向して配置され１枚の枠状の繊維強化樹脂シートからなるフロントカバーとを備え、フロントカバーは、フロントカバーを２分割するように電子機器用バックカバーと同じ位置に形成され柔軟性樹脂を母材とする屈曲部と、屈曲部以外の領域に形成され熱硬化性樹脂または熱可塑性樹脂を母材とする剛性部とを有するように構成した。
【００２０】
したがって、本発明の電子機器用バックカバーとそれを用いた電子機器用筐体は、従来よりも防水・防塵性が高く、剛性が大きく、薄くて軽いものである。
【図面の簡単な説明】
【００２１】
【図１】（ａ）本発明の電子機器用バックカバーの実施形態の一例を示す模式的な斜視図である。（ｂ）（ａ）のＡ−Ａ断面図である。
【図２】本発明の電子機器用バックカバーを用いた電子機器の一例を示す模式的な断面図である。
【図３】本発明の電子機器用バックカバーを用いた電子機器の一例を示す模式的な斜視図である。
【図４】（ａ）本発明の電子機器用バックカバーの変形例の一例を示す模式的な斜視図である。（ｂ）（ａ）のＡ−Ａ断面図である。（ｃ）（ｂ）のＢ部拡大図である。
【図５】本発明の電子機器用バックカバーの変形例の一例を示す模式的な断面図である。
【図６】本発明の電子機器用筐体の実施形態の一例を示す模式的な断面図である。
【図７】本発明の電子機器用筐体の実施形態の一例を示す模式的な斜視図である。
【図８】（ａ）本発明の電子機器用筐体の実施形態の一例を示す模式的な斜視図である。（ｂ）（ａ）のＡ−Ａ断面図である。
【図９】本発明の電子機器用筐体を用いた電子機器の一例を示す模式的な断面図である。
【図１０】本発明の電子機器用筐体の変形例の一例を示す模式的な断面図である。
【図１１】（ａ）本発明の電子機器用筐体の実施形態の一例を示す模式的な斜視図である。（ｂ）（ａ）のＡ−Ａ断面図である。
【図１２】本発明の電子機器用筐体を用いた電子機器の一例を示す模式的な断面図である。
【図１３】（ａ）本発明の電子機器用筐体の変形例の一例を示す模式的な斜視図である。（ｂ）屈曲部の断面拡大図である。
【図１４】従来の電子機器用筐体の一例を示す模式的な断面図である。
【発明を実施するための形態】
【００２２】
まず、本発明の電子機器用バックカバーについて、図面を参照しながら実施形態の一例を説明する。
【００２３】
（電子機器用バックカバーの第１実施形態）
本実施形態における電子機器用バックカバー１は、２つ折り可能な電子機器に用いるバックカバーであって、１枚の繊維強化樹脂シートのうち繊維強化樹脂シートを２分割する位置に形成され柔軟性樹脂を母材とする屈曲部２と、屈曲部以外の領域に形成され熱硬化性樹脂または熱可塑性樹脂を母材とする２つの剛性部３，３とを備えたものである（図１参照）。
【００２４】
繊維強化樹脂シートは、強化繊維織物に樹脂を含浸させたものである。強化繊維織物に用いられる強化繊維としては、たとえば炭素繊維、アラミド繊維、ガラス繊維などを挙げることができる。強化繊維としては、連続繊維および不連続繊維のいずれかを用いてもよいし、両方が複合されたものを用いてもよい。
【００２５】
屈曲部２は、１枚の繊維強化樹脂シートのうち繊維強化樹脂シートを２分割する位置に形成し、母材は柔軟性樹脂である。柔軟性樹脂としては、たとえばウレタン樹脂、シリコーン樹脂、ポリプロピレンやポリアミドなどのオレフィン樹脂、ゴムなどを用いることができる。このような柔軟性樹脂を、繊維強化樹脂シートを２分割する位置に含浸させることで、屈曲部２を形成することができる。
【００２６】
剛性部３は、屈曲部以外の領域に形成し、母材は熱硬化性樹脂または熱可塑性樹脂である。１枚の繊維強化樹脂シートに剛性部３が２つ形成される。剛性部３，３の大きさは、たとえば電子機器がノートパソコンなどのように、ディスプレイなどの表示部と、キーボードなどの操作部を有する機器であれば、表示部と操作部のそれぞれの大きさを基にして決める。剛性部３，３の大きさは、表示部（操作部）に比べて十分大きくてよく（図２（ａ）参照）、表示部（操作部）よりもわずかに大きくてもよいし（図２（ｂ）参照）、表示部（操作部）よりもわずかに小さくてもよい（図２（ｃ）参照）。剛性部の大きさが表示部（操作部）よりもわずかに小さい場合、表示部（操作部）が剛性部からわずかにはみ出るが、そのはみ出た部分を隠すように、たとえば金属製のフレーム２０を組み合わせれば、電子機器用バックカバーの装飾性を高めることができる（図２（ｄ）参照）。なお、剛性部の大きさが表示部（操作部）よりもわずかに大きい場合でも、上記のように金属製のフレームを組み合わせてもよい。
【００２７】
剛性部は、熱硬化性樹脂または熱可塑性樹脂を母材とする。熱硬化性樹脂としては、たとえばエポキシ樹脂、フェノール樹脂、ポリエステル樹脂、ポリイミド樹脂、メラミン樹脂などを用いることができる。また、熱可塑性樹脂としては、たとえばポリカーボネート樹脂、アクリル樹脂、ＡＢＳ樹脂、ポリプロピレン樹脂、ポリエチレン樹脂、ポリスチレン樹脂、ポリアミド樹脂、ＰＰＳ樹脂（ポリフェニレンスルファイド）、ウレタン樹脂などを用いることができる。このような熱硬化性樹脂または熱可塑性樹脂を、屈曲部以外の領域に含浸させることで、剛性部３，３を形成することができる。
【００２８】
なお、２つの剛性部３，３は、上記した樹脂のうちそれぞれ異なる樹脂を含浸させて形成してもよく、２つとも同じ樹脂を含浸させて形成してもよい。また、屈曲部２と剛性部３，３に用いる樹脂は、着色してあるものであってもよい。
【００２９】
屈曲部２や剛性部３にそれぞれ樹脂を含浸させる方法としては、たとえば、強化繊維織物と樹脂フィルムを高温下で一体化させる樹脂フィルム注入法（ＲＦＩ）や、液状にした樹脂を金型内に配置した強化繊維織物に注入する樹脂トランスファー成形法（ＲＴＭ）などの公知の方法を用いることができる。また、屈曲部２については、射出成形法、液状のシリコーン樹脂などを射出成形するＬＩＭ成形法など公知の方法を用いてもよい。
【００３０】
本実施形態の電子機器用バックカバー１は、図２を参照して、たとえば有機ＥＬディスプレイ（ＯＬＥＤ）のようなシート状の表示部１８を一方の剛性部３に取り付け、他方の剛性部３にシート状キーボードのような操作部１９を取り付けて、ノートパソコンの形態で用いることができる。また、たとえば、両方の剛性部に表示部兼操作部としてタッチセンサを取り付け、２つ折り式のタッチセンサデバイスとすることもできる。また、図３を参照して、たとえば一方の剛性部にシート状の表示部１８を取り付け、他方の剛性部にはタッチセンサとボタンなどが１つのシート上に形成された表示部兼操作部２１を取り付け、２つ折り式のゲーム機とすることもできる。
【００３１】
本実施形態の電子機器用バックカバーは、屈曲部と剛性部とが１枚の繊維強化樹脂シートに一体形成されているため、従来の電子機器のようにヒンジ機構とバックカバーとの間に隙間ができず、従来よりも防水・防塵性を向上させることができる。また、１枚の強化繊維織物に熱硬化性樹脂または熱可塑性樹脂を含浸させた剛性部を有しているため、従来よりも剛性を大きくすることができる。また、１枚の繊維強化樹脂シートからなるため、従来よりも薄肉化・軽量化が可能となる。
【００３２】
次に、電子機器用バックカバーの変形例を挙げる。
【００３３】
（変形例１）
電子機器用バックカバー１は、屈曲部２と２つの剛性部３，３との境界４では境界以外の箇所よりも厚みが小さくなっていてもよい（図４（ａ）〜（ｃ）参照）。つまり、厚みの小さい箇所は、境界４に沿って直線的に形成した溝である。なお、溝は、電子機器用バックカバー１の表と裏のいずれかに形成してもよく、両方に形成してもよい。このようにすると、屈曲部２をより曲げやすくなる。
【００３４】
（変形例２）
電子機器用バックカバー１の屈曲部２は蛇腹形状であってもよい（図５参照）。蛇腹形状は、図５（ａ）〜（ｃ）のように、厚みが均一であり、断面が山折り谷折りを繰り返すジグザグ形状とすることができる。また、図５（ｄ）（ｅ）のように、断面で見たときに、厚みが一部大きくなる箇所を繰り返し設けた形状でもよい。また、図５（ｆ）（ｇ）のように、断面で見たときに、厚みが一部小さくなる箇所を繰り返し設けた形状でもよい。
このようにすると、屈曲部２を曲げやすくなることに加え、屈曲部２を曲げた際に任意の位置で静止させることができる。また、屈曲部２に伸縮性を付与することもできる。
【００３５】
（変形例３）
電子機器用バックカバー１は、上記の変形例１と２の両方を備えたものであってもよい。つまり、境界４の厚みが境界以外の箇所より小さく、屈曲部２が蛇腹形状であってもよい。
【００３６】
次に、本発明の電子機器用バックカバーを用いた電子機器用筐体について、図面を参照しながら実施形態の一例を説明する。
【００３７】
（電子機器用筐体の第１実施形態）
本実施形態における電子機器用筐体６は、上記第１実施形態および変形例１から３に記載したいずれかの電子機器用バックカバー１と、電子機器用バックカバーの２つの剛性部３，３にそれぞれ対向して配置される２つのフロントカバー５，５とを備え、２つのフロントカバーは熱硬化性樹脂または熱可塑性樹脂を母材とする繊維強化樹脂シートからなり、２つのフロントカバーの少なくとも一方は枠状である（図６参照）。
【００３８】
フロントカバー５は、強化繊維織物に熱硬化性樹脂または熱可塑性樹脂を含浸させたものを用いる。強化繊維、熱硬化性樹脂、および熱可塑性樹脂としては、電子機器用バックカバーの第１実施形態に記載したような強化繊維や樹脂を用いることができる。
【００３９】
本実施形態の電子機器用筐体６では、たとえば図６のように、２つのフロントカバー５，５の一方には開口部が形成されている。開口部は、強化繊維織物の状態のときに形成してもよく、強化繊維織物に樹脂を含浸させた後に形成してもよい。このような構成の電子機器としては、たとえば、映像や音楽を再生するポータブルプレイヤーが挙げられる。一方の剛性部３にはポータブルプレイヤーのディスプレイなどの表示部１８を取り付け、表示部１８を挟んで枠状のフロントカバー５を配置する。他方の剛性部３には映像や音楽の入ったメディアを挿入するドライブとプレイヤーを操作する操作部とを含む操作ユニット２４を取り付け、操作ユニット２４を挟んでもう１つのフロントカバー５を配置する。フロントカバー５と電子機器用バックカバー１とは、直接組み合わせることができる。そのような方法としては、たとえば、フロントカバー５に用いる強化繊維織物を金型に配置して型締めし、樹脂を含浸させると同時に、電子機器用筐体６の側面を覆う形状に成形し、フロントカバー５と電子機器用バックカバー１の剛性部３とを組み合わせる方法が挙げられる（図７（ａ）参照）。また、フロントカバー５と電子機器用バックカバー１とは、剛性部３と同様に繊維強化樹脂シートからなる別部品を、フロントカバー５と電子機器用バックカバー１との間に配置して組み合わせることもできる（図７（ｂ）参照）。なお、開口部の大きさは、表示部１８や操作ユニット２４などの大きさと同じでもよく、開口部７の方が小さくてもよい。
【００４０】
本実施形態の電子機器用筐体は、フロントカバーと電子機器用バックカバーを剛性部を有する繊維強化樹脂シートで形成するため、従来よりも剛性が大きく、薄肉化・軽量化が可能なものである。
【００４１】
（電子機器用筐体の第２実施形態）
本実施形態における電子機器用筐体６は、上記第１実施形態に記載した電子機器用バックカバーの屈曲部２が柔軟性と伸縮性を有する樹脂を母材とする電子機器用バックカバー１と、電子機器用バックカバー１に対向して配置され１枚の繊維強化樹脂シートからなるフロントカバー５とを備え、フロントカバー５は、フロントカバーを２分割するように電子機器用バックカバー１と同じ位置に形成され柔軟性と伸縮性を有する樹脂を母材とする屈曲部２２と、屈曲部以外の領域に形成され熱硬化性樹脂または熱可塑性樹脂を母材とする２つの剛性部２３，２３と、フロントカバー５の剛性部２３，２３の少なくとも一方に形成された開口部７とを有する（図８参照）。
【００４２】
第１実施形態の電子機器用筐体と異なる点は、フロントカバー５が１枚の繊維強化樹脂シートからなり、フロントカバー５の屈曲部２２の母材が柔軟性と伸縮性を有する樹脂であることである。以下、主としてこれら異なる点について述べる。
【００４３】
フロントカバー５に含浸させる樹脂には、柔軟性と伸縮性を有する樹脂を用いる。このような樹脂を用いる理由は、次の通りである。たとえば図９のように、一方の剛性部３にはフロントカバー５の開口部７からディスプレイなどの表示部１８が見えるように配置し、他方の剛性部３には操作ユニット２４を配置した電子機器用筐体６では、フロントカバー５や電子機器用バックカバー１よりも大きい厚みを有する表示部１８と操作ユニット２４が、フロントカバー５と電子機器用バックカバー１との間に配置されているためである。柔軟性と伸縮性を有する樹脂としては、たとえば、ポリエステル樹脂、ポリカーボネート樹脂、アクリル樹脂、ＡＢＳ樹脂、ポリプロピレン樹脂、ポリエチレン樹脂、ウレタン樹脂およびそれらの複合樹脂などを用いることができる。
【００４４】
開口部７は、フロントカバー５の２つの剛性部２３，２３の両方に１つずつ形成してもよい。開口部７の大きさは、表示部１８や操作ユニット２４などの大きさと同じでもよく、開口部７の方が小さくてもよい。開口部７は、強化繊維織物の状態のときに形成してもよく、強化繊維織物に樹脂を含浸させた後に形成してもよい。
【００４５】
本実施形態の電子機器用筐体は、フロントカバーと電子機器用バックカバーを剛性部を有する１枚の繊維強化樹脂シートでそれぞれ形成するため、従来よりも剛性が大きく、薄肉化・軽量化が可能なものである。
【００４６】
次に、電子機器用筐体の第２実施形態の変形例を挙げる。
【００４７】
（第２実施形態の変形例）
電子機器用筐体６は、フロントカバー５の屈曲部２２と電子機器用バックカバー１の屈曲部２との間にヒンジ機構８をさらに備えたものであってもよい（図１０参照）。ヒンジ機構８は、電子機器用バックカバー１またはフロントカバー５に取り付ける。ヒンジ機構８としては、たとえば、トルクヒンジ、ダンパーヒンジなど公知のヒンジ機構を用いることができる。このようにすると、電子機器用筐体６を開閉した際に、ヒンジ機構８によって任意の開閉位置を保持することができる。また、ヒンジ機構８が電子機器用筐体６の内部に隠れるため、ヒンジ機構８を有しているにも関わらず電子機器用筐体６をシームレスデザイン化することができ、ヒンジ機構８に対する防水性を向上させることができる。
【００４８】
（電子機器用筐体の第３実施形態）
本実施形態における電子機器用筐体６は、上記実施形態１に記載した電子機器用バックカバー１と、電子機器用バックカバーに対向して配置され１枚の枠状の繊維強化樹脂シートからなるフロントカバー５とを備え、フロントカバー５は、フロントカバーを２分割するように電子機器用バックカバー１と同じ位置に形成され柔軟性樹脂を母材とする屈曲部２２と、屈曲部以外の領域に形成され熱硬化性樹脂または熱可塑性樹脂を母材とする剛性部２３とを有する（図１１参照）。
【００４９】
第２実施形態の電子機器用筐体と異なる点は、フロントカバー５の開口部７が屈曲部２２をまたぐようにして１つだけ形成されていることである。このような構成の電子機器としては、たとえば、図１２のように表示部兼操作部２１を取り付けたスマートフォンなどが挙げられる。表示部兼操作部２１としては、たとえば、タッチセンサフィルムと有機ＥＬディスプレイとを組み合わせたフレキシブルディスプレイなどを用いることができる。開口部７の大きさは、表示部兼操作部２１などの大きさと同じでもよく、開口部７の方が小さくてもよい。開口部７は、強化繊維織物の状態のときに形成してもよく、強化繊維織物に樹脂を含浸させた後に形成してもよい。
【００５０】
本実施形態の電子機器用筐体は、剛性部を有する２枚の繊維強化樹脂シートを組み合わせたものであるため、従来よりも剛性が大きく、薄くて軽いものである。
【００５１】
次に、電子機器用筐体の第２・第３実施形態に共通の変形例を挙げる。
【００５２】
（第２・第３実施形態共通の変形例１）
フロントカバー５の屈曲部２２と剛性部２３，２３との境界２５では境界以外の箇所よりも厚みが小さくなっていてもよい（図１３（ａ）（ｂ）参照）。厚みの小さい箇所は、境界２５に沿って直線的に形成した溝である。なお、溝は、フロントカバー５の表と裏のいずれかに形成してもよく、両方に形成してもよい。このようにすると、電子機器用筐体６をより曲げやすくなる。
【００５３】
（第２・第３実施形態共通の変形例２）
フロントカバー５の屈曲部２２は、電子機器用バックカバーのように、蛇腹形状であってもよい（図５参照）。このようにすると、電子機器用筐体６を曲げやすくなることに加え、曲げた際に任意の位置で静止させることができる。また、屈曲部２２に伸縮性を付与することもできる。
【００５４】
（第２・第３実施形態共通の変形例３）
フロントカバー５は、上記の変形例１と２の両方を備えたものであってもよい。つまり、境界２５の厚みが境界以外の箇所より小さく、屈曲部２２が蛇腹形状であってもよい。
【産業上の利用可能性】
【００５５】
本発明の電子機器用バックカバーとそれを用いた電子機器用筐体は、パーソナルコンピュータ、スマートフォン、タブレット、ゲーム機など２つ折り式の電子機器に広く利用できる。また、車載用ディスプレイなど２つ折り式のディスプレイ装置などにも応用できる。
【符号の説明】
【００５６】
１  ：電子機器用バックカバー
２  ：屈曲部
３  ：剛性部
４  ：境界
５  ：フロントカバー
６  ：電子機器用筐体
７  ：開口部
８  ：ヒンジ機構
９  ：電子機器用筐体
１０：表示部用筐体
１１：フロントカバー
１２：バックカバー
１３：操作部用筐体
１４：アッパーカバー
１５：ロワーカバー
１６：金属板
１７：ヒンジ機構
１８：表示部
１９：操作部
２０：フレーム
２１：表示部兼操作部
２２：屈曲部
２３：剛性部
２４：操作ユニット
２５：境界
【図１】
2019144972.tif 000003
【図２】
2019144972.tif 000004
【図３】
2019144972.tif 000005
【図４】
2019144972.tif 000006
【図５】
2019144972.tif 000007
【図６】
2019144972.tif 000008
【図７】
2019144972.tif 000009
【図８】
2019144972.tif 000010
【図９】
2019144972.tif 000011
【図１０】
2019144972.tif 000012
【図１１】
2019144972.tif 000013
【図１２】
2019144972.tif 000014
【図１３】
2019144972.tif 000015
【図１４】
2019144972.tif 000016